(57)【要約】【課題】  屋外における農作業時に日除けをすることができ、草刈りなどの農作業時において飛散する草、砂利、小石が使用者の目を含めた顔面に直撃することを防ぎ、さらに、農作業の内容に応じて顔面の直撃を防ぐ器具を使用者が自在に着脱することができる帽子を提供することを目的とする。【解決手段】  使用者の頭部を覆う頭覆設部１と、前記頭覆設１の端部１１に一方側へ突出して設けられた鍔部２と、少なくとも前記頭覆設部１又は前記鍔部２の端部に設けられ、使用者の首後方及び首側方を覆う首覆設部３と、前記鍔部２の裏面２２に設けられた第１係止部２１と着脱可能である第２係止部４１を有し、使用者の顔を覆う透明の防護面４とを具備することにより解決することができた。【選択図】図１
2014141756.tif 000002
【特許請求の範囲】
【請求項１】
使用者の頭部を覆う頭覆設部と、
前記頭覆設の端部に一方側へ突出して設けられた鍔部と、
少なくとも前記頭覆設部又は前記鍔部の端部に設けられ、使用者の首後方及び首側方を覆う首覆設部と、
前記鍔部の裏面に設けられた第１係止部と着脱可能である第２係止部を有し、使用者の顔を覆う透明の防護面とを具備することを特徴とする防護面付き帽子。
【請求項２】
前記第２係止部が前記防護面の一端部に設けられ、前記第１係止部が前記鍔部の裏面の全面に亘って設けられていることを特徴とする請求項１に記載の防護面付き帽子。
【請求項３】
前記防護面の他端部に、メッシュ布が延設されていることを特徴とする請求項２に記載の防護面付き帽子。
【請求項４】
前記第１係止部及び前記第２係止部が、面ファスナーであることを特徴とする請求項１から請求項３のいずれかに記載の防護面付き帽子。
【発明の詳細な説明】
【技術分野】
【０００１】
本発明は、草刈りなどの農作業時に使用する防護面付き帽子に関する。
【背景技術】
【０００２】
従来、農作業などの屋外における作業において、作業者の日焼けを防ぐ目的で、または、太陽光からの熱を遮る目的で、側方や後方に日除けのフードを有する帽子が知られている。
【０００３】
例えば、特許文献１には、鍔を有し、側方及び後方にスカート部と称する日除けフードを有する帽子が開示されている。
【先行技術文献】
【特許文献】
【０００４】
【特許文献１】特開２０１０−１７４４０２号公報
【発明の概要】
【発明が解決しようとする課題】
【０００５】
しかしながら、特許文献１に記載の帽子では使用者の目の周りが開いているため、とりわけ草刈りなどの農作業時において、刈った草が作業者の顔に当たること、また、草刈り機によって跳ね上げられた砂利、小石などが作業者の顔に直撃することを防ぐことはできない。
【０００６】
また、刈った草や跳ね上げられた砂利、小石などが作業者の顔に当たらないように、作業者の顔面を覆う防護面を帽子に設けて欲しいとの需要もあるが、その一方で、農作業時に常にそのような顔を覆う防護面を要するものではないため、作業者が必要に応じて防護面を簡易に取り外し可能にして欲しいとの需要もあった。
【０００７】
そこで、本発明は、上記の問題点及び要望点等に鑑み、屋外における農作業時に日除けをすることができ、草刈りなどの農作業時において飛散する草、砂利、小石が使用者の目を含めた顔面に直撃することを防ぎ、さらに、農作業の内容に応じて顔面の直撃を防ぐ器具を使用者が自在に着脱することができる帽子を提供することを目的とする。
【課題を解決するための手段】
【０００８】
（１）すなわち、本発明は、使用者の頭部を覆う頭覆設部と、前記頭覆設の端部に一方側へ突出して設けられた鍔部と、少なくとも前記頭覆設部又は前記鍔部の端部に設けられ、使用者の首後方及び首側方を覆う首覆設部と、前記鍔部の裏面に設けられた第１係止部と着脱可能である第２係止部を有し、使用者の顔を覆う透明の防護面とを具備することを特徴とする防護面付き帽子である。
（２）そして、前記第２係止部が前記防護面の一端部に設けられ、前記第１係止部が前記鍔部の裏面の全面に亘って設けられていることを特徴とする前記（１）の防護面付き帽子である。
（３）そして、前記防護面の他端部に、メッシュ布が延設されていることを特徴とする前記（２）の防護面付き帽子である。
（４）前記第１係止部及び前記第２係止部が、面ファスナーであることを特徴とする前記（１）から前記（３）のいずれかに記載の防護面付き帽子である。
【発明の効果】
【０００９】
前記（１）に記載の防護面付き帽子によれば、屋外における農作業時に日除けをすることができ、草刈りなどの農作業時において飛散する草、砂利、小石が使用者の目を含めた顔面に直撃することを防ぎ、さらに、農作業の内容に応じて顔面の直撃を防ぐ器具を使用者が自在に着脱することができる。
【００１０】
前記（２）に記載の防護面付き帽子によれば、さらに、使用者の顔の大きさや作業の内容などに応じて、顔面への異物の飛来を防ぐ防護面を、帽子の鍔の裏側の任意の箇所で取り付けることができる。
【００１１】
前記（３）に記載の防護面付き帽子によれば、さらに、使用者の呼気により前記防護面が曇ることを防ぐことにより、使用者の前方の視認性を向上することができ、そして、顔近傍に熱が篭もることを防止することができる。
【００１２】
前記（４）に記載の防護面付き帽子によれば、さらに、前記防護面を容易に着脱することができる。
【図面の簡単な説明】
【００１３】
【図１】本発明の防護面付き帽子の一実施例を示す斜視図。
【図２】本発明の防護面付き帽子の一実施例を示す正面図。
【図３】本発明の防護面付き帽子の一実施例を示すＡ−Ａ線断面図。
【図４】本発明の防護面付き帽子の一実施例を示す分解正面図。
【図５】本発明の防護面付き帽子の一実施例を着用した状態を示す着用状態図。
【発明を実施するための形態】
【００１４】
以下、本発明に係る防護面付き帽子に関する実施形態について詳しく説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００１５】
図１に本発明の防護面付き帽子の一実施例を示しており、使用者の頭部を覆う頭覆設部１と、前記頭覆設１の端部１１に一方側へ突出して設けられた鍔部２と、少なくとも前記頭覆設部１又は前記鍔部２の端部に設けられ、使用者の首後方及び首側方を覆う首覆設部３と、前記鍔部２の裏面２２に設けられた第１係止部２１と着脱可能である第２係止部４１を有し、使用者の顔を覆う透明の防護面４から構成されている。
【００１６】
頭覆設部１は、使用する者の頭部、主として頭頂部分を覆う部分であり、略円筒形状を有している。また、頭覆設部１の中ほどには側周に亘って四角形状の孔を有する網目状の頭覆設部網布１２が設けられており、頭覆設部１内に熱気が篭もり使用者の頭頂部分が蒸れたり発汗することに対して通気性を向上させることにより防ぐことができる。また、頭覆設部網布１２に設けられている網目の形状は、四角形状ではなく円形、楕円形状、六角形など四角形状以外の角形であってもよい。なお、本実施例において頭覆設部１の形状は略円筒形状を有しているが、本発明において略角柱形状、略円錐形状など他の形状を採用することを妨げるものではない。
【００１７】
そして、頭覆設部網布１２の下部には、頭覆設部網布１２と縫合され、使用者の頭部の周囲を担持する部材が設けられており、頭覆設１の端部１１を構成している。この端部１１に、鍔部２が縫合されている。なお、使用者の頭部の周囲を担持する部材は、頭覆設部網布１２と鍔部２とを縫合しているが、接着剤を使用するなど縫合とは異なる手段で固定することを妨げるものではない。
【００１８】
鍔部２は、使用する者の顔面に太陽の光などの光が差し込むことを防ぐ庇であり、略半三日月状の部材を頭覆設部網布１２に縫合され形成されている。鍔部２は、使用する者の顔面に太陽の光などの光が差し込むことを防ぐための部材であるため、遮光性を有する部材から構成されていることが好ましく、本実施例においては板状の部材を骨格としてその周囲を生地で覆って形成されている。また、明るさや上方への視界を確保するために、完全に遮光性の有する部材でなくとも、熱線や紫外線を遮断するコーティングが為された透光性を有する部材を採用してもよい。
【００１９】
鍔部２のうち、太陽の光などの光が当たる面を表面２３と、着用したときの使用者側の面を裏面２２としている。そして、本実施例において、裏面２２には全面に亘って、第１係止部２１であって面ファスナーのループ状に密集して起毛された雌部材が設けられている。そして、第１係止部２１である面ファスナーの雌部材は、後述する第２係止部４１であって、面ファスナーのフック状に起毛された雄部材と着脱可能であるため、使用者は、防護面４を鍔部２の裏面２２において所望の場所に取り付けることができる。このため、防護面４を要しない場合には、防護面４を取り外して使用することができるし、さらに、顔の大きさに合わせるなど好ましい湾曲の程度になるように防護面４を曲げて鍔部２の裏面２２に取り付けることができるようになる。なお、本実施例において、鍔部２の裏面２２に面ファスナーの雌部材を、防護面４に面ファスナーの雄部材を用いているが、その逆、すなわち、鍔部２の裏面２２に面ファスナーの雄部材を、防護面４に面ファスナーの雌部材を用いることもできる。
【００２０】
さらに、本実施例では、第１係止部２１及び第２係止部４１として、面ファスナーを使用しているが、本発明において第１係止部２１及び第２係止部４１は、係合し着脱可能な部材であれば面ファスナーに限定されるものではなく、例えば、円形、角形状のスナップボタンの雄部材、雌部材やＪ字状、S字状、U字状などの形状を組み合わせたフックなどを使用することができる。例えば、第１係止部２１に及び第２係止部４１としてスナップボタンを使用したとき、第１係止部２１にスナップボタンの雌部材を、第２係止部４１にスナップボタンの雄部材を使用することができ、また、第１係止部２１にスナップボタンの雄部材を、第２係止部４１にスナップボタンの雌部材を使用することができる。スナップボタン、フックのいずれの場合であっても、鍔部２の裏面２２の全面に亘って第１係止部２１が設けられていることが好ましい。
【００２１】
首覆設部３は、本実施例において、頭覆設部１及び鍔部２の端部、すなわち、図２などにおける頭覆設部１の端部１１及び鍔部２の縁部に縫合されており、使用者の首後方及び首側方を覆うことができるよう略長方形状の薄い布で構成されている。そして、首覆設部３における使用者の首側方に対応する左右の位置に一対の首覆設部面ファスナー３１が設けられている。このため、図５に示すように、使用者の首元で首覆設部面ファスナー３１同士を係止することにより、使用者の首の周囲を日焼けなどから防ぐことができる。なお、首覆設部３は、頭覆設部１及び鍔部２の端部とを縫合しているが、接着剤を使用するなど縫合とは異なる手段で固定することを妨げるものではない。
【００２２】
また、本実施例において、首覆設部３は、頭覆設部１及び鍔部２の端部に設けられているが、本発明では、鍔部２の大きさに応じて、頭覆設部１又は鍔部２の端部の少なくとも一方に設けられていればよい。例えば、鍔部２が小さい場合には、首覆設部３を頭覆設部１にのみ設けることができるし、反対に鍔部２が大きい場合には、首覆設部３を鍔部２にのみ設けることができる
【００２３】
防護面４は、本実施例において、使用時に使用者の前方の視界を確保するために透明性を有する部材からなり、略半円形状の形状を有している。また、農作業時における草、砂利、小石が使用者の目を含めた顔面に直撃することを防ぐために、防護面４は、ポリカーボネート、ポリエチレンテレフタレート、ポリブチレンテレフタレートなどの透明性が高く、耐衝撃性が良好な高分子材料からなることが好ましい。また、本実施例では、防護面４の形状は略半円形状であるが、本発明においては、略半楕円形状、略角形状であってもよい。また、使用時に使用者の前方の視界を妨げない範囲で、防護面４は、青、黄色などの有色で透明性を有するものであってもよい。
【００２４】
そして、防護面４の一端部４２、すなわち、図１などにおける防護面４の上端部には、第２係止部４１であって、面ファスナーのフック状に起毛された５つの雄部材が縫合されている。前述したように、第２係止部４１である面ファスナー雄部材は、裏面２２の全面に亘って第１係止部２１である面ファスナーの雌部材と着脱可能であるため、使用者は、防護面４を鍔部２の裏面２２において所望の場所に取り付けることができる。このため、防護面４を要しない場合には、防護面４を取り外して使用することができるし、さらに、顔の大きさに合わせるなど好ましい湾曲の程度になるように防護面４を曲げて鍔部２の裏面２２に取り付けることができるようになる。なお、本実施例において、第２係止部４１である面ファスナー雄部材は、一端部４２に５つ設けられているが、５つに限定されるものではなく、３つ、４つ、６つ以上設けられていてもよく、防護面４の左右両端に亘る１つ幅の広い部材であってもよい。また、前述したように、第２係止部４１は、本発明において、面ファスナーだけでなく、スナップボタン、フックなどの互いに係合する部品を用いることができる。
【００２５】
図５に示すように、本発明に係る防護面付き帽子を、使用する者が着用したときには、草刈りなどの農作業時において飛散する草、砂利、小石が使用者の目を含めた顔面に直撃することを防ぎ、さらに、農作業の内容に応じて顔面の直撃を防ぐ器具を使用者が自在に着脱することができる。
【００２６】
そして、本実施例において、防護面４の他端部４３、すなわち、図１などにおける防護面４の下端部には、六角形状の孔を有する略三日月状のメッシュ布５が延設されている。メッシュ布５が防護面４の他端部４３に延設されることで、使用者の呼気により前記防護面が曇ることを防ぐことにより、使用者の前方の視認性を向上することができ、そして、顔近傍に熱が篭もることを防止することができる。また、メッシュ布５の形状は、六角形状ではなく円形、楕円形状、四角形など六角形状以外の角形であってもよい。なお、本実施例においてメッシュ布５の形状は略三日月状を有しているが、本発明において防護面４の形状に応じて略角形状など他の形状を採用することを妨げるものではない。
【００２７】
本実施例において、１本の紐形状の首係止紐６が、頭覆設１の端部１１の左右両側に首係止紐６の両端が固定されている。そして、首係止紐６には、首係止紐６により形成される輪の大きさを図示しないバネの付勢によって調整することができる球形状の紐長調整具６１が挿通されている。首係止紐６に形成される輪を使用者の顎などに当接するように、首係止紐６に対する紐長調整具６１の位置を適宜調整することにより、本実施例における帽子が風などにより脱げることを防止することができる。なお、紐長調整具６１は、本実施例において、バネの付勢によって調整することができる球形状の部材を用いているが、ボタン、スナップボタンなどの別の部材を用いることもできる。
【符号の説明】
【００２８】
１・・・頭覆設部
１１・・端部
１２・・頭覆設部網布
２・・・鍔部
２１・・第１係止部
２２・・裏面
２３・・表面
３・・・首覆設部
３１・・首覆設部面ファスナー
４・・・防護面
４１・・第２係止部
４２・・一端部
４３・・他端部
５・・・メッシュ布
６・・・首係止紐
６１・・紐長調整具
【図１】
2014141756.tif 000003
【図２】
2014141756.tif 000004
【図３】
2014141756.tif 000005
【図４】
2014141756.tif 000006
【図５】
2014141756.tif 000007